(57)【要約】  【課題】  客先が押しボタンスイッチを養生しないで済むようにして客先における養生に要する時間と手間を省くことが可能になり、しかも工事完了後は容易に取外すことができる。  【解決手段】  保護部材Ｃは、略キャップ形状のボタン覆い部１００と、ボタン覆い部１００の頂面部１０１に設けた摘み部１０４と、ボタン覆い部１００の周壁部１０２に連なる固定部１０５とを備えており、養生部材Ｃは、そのボタン覆い部１００で押しボタン４０を覆い、固定部１０５を、取付リング５４の挿入空間部Ｄに挿入してカバー部材６の雌ねじ部１９と押しボタン４０の外周部のフランジ部４５とで挟持させることで、押しボタンスイッチＡに装着される。【選択図】  図３
2006331810.tif 000002
【特許請求の範囲】
【請求項１】
スイッチ本体に内蔵スイッチを押込み作動させる押しボタンを収容して、この押しボタンを前記スイッチ本体の端部より外方に突出させた押しボタンスイッチの養生装置であって、
前記押しボタンを覆い且つこの押しボタンと前記スイッチ本体との隙間を埋める養生部材を有しており、この養生部材は前記押しボタンに対して着脱可能であることを特徴とする押しボタンスイッチの養生装置。
【請求項２】
前記養生部材は、弾性材を素材にしていて、前記押しボタンを覆うボタン覆い部と、このボタン覆い部に設けた摘み部と、前記ボタン覆い部の周壁部に連なり且つ前記隙間に挿入されて当該隙間を埋める固定部とで構成してあることを特徴とする請求項１に記載の押しボタンスイッチの養生装置。
【請求項３】
前記ボタン覆い部は、頂面部に、前記押しボタンの周部の外形に倣う形状の周壁部を形成して構成してあり、前記頂面部に前記摘み部を形成し、前記周壁部に前記固定部を連設したことを特徴とする請求項２に記載の押しボタンスイッチの養生装置。
【請求項４】
前記固定部は、前記押しボタンと前記スイッチ本体とで挟持されることで前記隙間を埋める構成であることを特徴とする請求項２又は請求項３に記載の押しボタンスイッチの養生装置。
【請求項５】
前記固定部は、前記周壁部の先側に形成された係合部であり、この係合部を前記スイッチ本体に設けたスイッチ本体側係合部に係脱可能に係合することで、前記固定部が前記スイッチ本体に固定されることを特徴とする請求項２又は請求項３に記載の押しボタンスイッチの養生装置。
【発明の詳細な説明】
【技術分野】
【０００１】
本発明は、例えば、エレベータの昇降方向を指示する方向指示スイッチとしてのエレベータスイッチ等に使用される押しボタンスイッチの養生装置に関する。
【背景技術】
【０００２】
一般に、乗場にいる利用客が操作するエレベータスイッチは、乗籠の現在位置を表示するインジケータと、乗籠の昇降指示操作に使う押しボタンスイッチと、この押しボタンスイッチを可動状態で保持する表面パネル（プレート）とを有しており、これらは乗場側に面した壁面上に取付けてある。
【０００３】
実際、エレベータスイッチが現場（例えば、ビルディング、病院等）で設置される場合には、この設置はエレベータ設置工事中に行なわれる。このために、未だ工事中であることから、セメント粉や塵挨等がエレベータスイッチに侵入して接点不良を起こし、これが押しボタンの操作不可などの原因となる。これを防止するために、エレベータ設置工事の現場で、エレベータスイッチ周りを養生している。この養生は、例えば、エレベータスイッチを透明な合成樹脂シートで覆うこと等で行なわれている。
【０００４】
上記したようなエレベータの設置工事中に行なわれるエレベータスイッチの養生ではないが、既に設置工事が完了し、乗場側に面した壁面に設置されたエレベータスイッチを保護する保護装置は従来から存在している。この保護装置は、防水・防塵性のある外縁体及び透明保護フィルタで構成した保護カバーを、表面パネル上に貼付して、押しボタンを密閉空間に閉じ込めるようにし、透明保護フィルタに与えられる押圧力を押しボタンに伝えるギャップ充填部材を、押しボタンの視認が妨げられないように密閉空間内に配設したものである（特許文献１参照）。
【特許文献１】特開平９−３１５７１０号公報
【発明の開示】
【発明が解決しようとする課題】
【０００５】
しかし、上記したように、エレベータ設置工事の現場で、エレベータスイッチを透明な合成樹脂シートで覆うこと等のエレベータスイッチの養生は、エレベータの設置工事を行なう客先が行なう養生であり、客先に、養生に要する時間と手間を強いるという問題点があった。
【０００６】
本発明はかかる従来の問題点を改善するためになされたもので、その目的とするところは、客先が押しボタンスイッチを養生しないで済むようにして客先における養生に要する時間と手間を省くことが可能になり、しかも工事完了後は容易に取外すことができる押しボタンスイッチの養生装置を提供することである。
【課題を解決するための手段】
【０００７】
上記の目的を達成するために、本発明に係る押しボタンスイッチの養生装置は、スイッチ本体に内蔵スイッチを押込み作動させる押しボタンを収容して、この押しボタンをスイッチ本体の端部より外方に突出させた押しボタンスイッチの養生装置であって、押しボタンを覆い且つこの押しボタンとスイッチ本体との隙間を埋める養生部材を有しており、この養生部材は押しボタンに対して着脱可能であることを特徴とする。
【０００８】
かかる構成により、養生部材は押しボタンスイッチに着脱可能に装着されて、押しボタンを覆い且つこの押しボタンとスイッチ本体との隙間を埋めるようになって、セメント粉や塵挨等の侵入がなくなるために、この養生部材を装着した押しボタンスイッチを、例えば、押しボタンスイッチをエレベータスイッチとして使用するエレベータの設置工事を行なう客先に納品することで、客先で、押しボタンスイッチを養生しないで済むようになり、客先における養生に要する時間と手間を省くことが可能になる。
【０００９】
そして、エレベータの設置工事が完了して押しボタンスイッチを実際に使う時には、表面パネルの取付孔に養生部材で覆った状態の押しボタンを挿入し、養生部材をニッパのような工具で挟み、この養生部材を押しボタンスイッチから引き剥がして、例えば、取付リング等を用いて押しボタンスイッチを表面パネルに取付けることができる。
【００１０】
上記のように表面パネルの取付孔に養生部材で覆った状態の押しボタンを挿入することで、養生部材の一定の部材厚を使って、表面パネルの取付孔に対して押しボタンスイッチの位置決めを行うことができる。
【００１１】
なお、スイッチ本体とは、例えば、ベース部材とカバー部材との組立体が該当し、内蔵スイッチとは、例えば、スイッチ本体内に収容されたタクタイルスイッチが該当し、隙間とは、例えば、カバー部材の内周部に設けた雌ねじ部とプランジャの外周部のフランジ部との間の隙間が該当する。
【００１２】
また、本発明に係る押しボタンスイッチの養生装置は、上記した本発明に係る押しボタンスイッチの養生装置において、養生部材は、弾性材を素材にしていて、押しボタンを覆うボタン覆い部と、このボタン覆い部に設けた摘み部と、ボタン覆い部の周壁部に連なり且つ隙間に挿入されて当該隙間を埋める固定部とで構成してあることを特徴とする。
【００１３】
従って、養生部材は、そのボタン覆い部で押しボタンを覆い、固定部を、隙間に挿入させることで、養生部材を押しボタンスイッチに着脱可能に装着することができる。また、ボタン覆い部に設けた摘み部をニッパのような工具で挟み、この養生部材を押しボタンスイッチから引き剥がすことができる。
【００１４】
また、本発明に係る押しボタンスイッチの養生装置は、上記した本発明に係る押しボタンスイッチの養生装置において、ボタン覆い部は、頂面部に、押しボタンの周部の外形に倣う形状の周壁部を形成して構成してあり、頂面部に摘み部を形成し、周壁部に固定部を連設したことを特徴とする。
【００１５】
従って、養生部材は、そのボタン覆い部で押しボタンを覆い、固定部を、隙間に挿入させることで、養生部材を押しボタンスイッチに着脱可能に装着することができる。また、ボタン覆い部に設けた摘み部をニッパのような工具で挟み、この養生部材を押しボタンスイッチから引き剥がすことができる。
【００１６】
また、本発明に係る押しボタンスイッチの養生装置は、上記した本発明に係る押しボタンスイッチの養生装置において、固定部は、押しボタンとスイッチ本体とで挟持されることで隙間を埋める構成であることを特徴とする。
【００１７】
従って、養生部材は、そのボタン覆い部で押しボタンを覆い、固定部を、隙間に挿入してスイッチ本体と押しボタンの外周部とで挟持させることで、養生部材を押しボタンスイッチに着脱可能に装着することができる。
【００１８】
また、本発明に係る押しボタンスイッチの養生装置は、上記した本発明に係る押しボタンスイッチの養生装置において、固定部は、周壁部の先側に形成された係合部であり、この係合部をスイッチ本体に設けたスイッチ本体側係合部に係脱可能に係合することで、固定部がスイッチ本体に固定されることを特徴とする。
【００１９】
従って、養生部材は、そのボタン覆い部で押しボタンを覆い、係合部をスイッチ本体側係合部に係合させることで、養生部材を押しボタンスイッチに着脱可能に装着することができる。
【発明の効果】
【００２０】
本発明に係る押しボタンスイッチの養生装置によれば、養生部材は押しボタンスイッチに着脱可能に装着されて、押しボタンを覆い且つこの押しボタンとスイッチ本体との隙間を埋めるようになって、セメント粉や塵挨等の侵入がなくなるために、この養生部材を装着した押しボタンスイッチを、例えば、押しボタンスイッチをエレベータスイッチとして使用するエレベータの設置工事を行なう客先に納品することで、客先で、押しボタンスイッチを養生しないで済むようになり、客先における養生に要する時間と手間を省くことが可能になる。
【００２１】
そして、エレベータの設置工事が完了して押しボタンスイッチを実際に使う時には、表面パネルの取付孔に養生部材で覆った状態の押しボタンを挿入し、養生部材をニッパのような工具で挟み、この養生部材を押しボタンスイッチから引き剥がして、例えば、取付リング等を用いて押しボタンスイッチを表面パネルに取付けることができる。
【００２２】
上記のように表面パネルの取付孔に養生部材で覆った状態の押しボタンを挿入することで、養生部材の一定の部材厚を使って、表面パネルの取付孔に対して押しボタンの位置決めを行うことができる。
【発明を実施するための最良の形態】
【００２３】
以下、本発明の実施の形態を、図面を参照して詳述する。
【００２４】
図１はエレベータスイッチの押しボタン装置の斜視図、図２は本発明に係る養生装置における養生部材を押しボタンスイッチに装着する前の状態の斜視図、図３は本発明に係る養生装置における養生部材を押しボタンスイッチに装着した状態の縦断面図、図４は押しボタンスイッチの分解状態の斜視図である。
【００２５】
図１中、Ｆは乗場側壁面上に設置され、且つエレベータの乗籠（いずれも図示せず）が位置する階床を表示するインジケータ、Ａは乗籠の昇降を指示するエレベータスイッチとしての押しボタンスイッチ、Ｂは押しボタンスイッチＡを可動状態で乗場側壁面上に保持する表面パネルである。
【００２６】
押しボタンスイッチＡには養生部材Ｃが着脱可能に装着してある。養生部材Ｃは、図２及び図３に示すように、弾性を有する素材、例えば、合成ゴムを成形することによって作製してある。すなわち、保護部材Ｃは、後述する押しボタンを覆う略キャップ形状のボタン覆い部１００を有しており、ボタン覆い部１００は、頂面部１０１に周壁部１０２を形成して構成してある。周壁部１０２は、押しボタンの周部の外形に倣う形状であって、その先側に段部１０３が形成してある。
【００２７】
そして、ボタン覆い部１００の頂面部１０１には円環状の摘み部１０４が形成してあり、また、ボタン覆い部１００の周壁部１０１には、その段部１０３に連ねて中空筒状の固定部１０５が連設してある。固定部１０５は、保護部材Ｃを押しボタンスイッチＡに装着する際に、押しボタンスイッチＡに着脱可能に固定される部位である。
【００２８】
押しボタンスイッチＡは、図４に示すように、スイッチ本体１と、スイッチ本体１に収容されたスイッチ部２と、スイッチ本体１に収容され且つスイッチ部２を作動するスイッチ駆動部３と、押しボタン部４とを備えている。
【００２９】
スイッチ本体１はベース部材５とカバー部材６とより構成してある。ベース部材５は、図５に示すように、円形状の底面部５ａと、その周辺に立設された周壁部５ｂを有していて、底面部５ａには略六角形状の開口部７とが形成してある。また、底面部５ａの内面側には略正方形状のスイッチ基板装着部８が形成してある。
【００３０】
そして、底面部５ａの内面には、図５に示すように、スイッチ基板装着部８の四隅に位置させてばね係止用突起部９とストッパ挿入部１０が設けてあり、これらストッパ挿入部１０には平面視コ字形状のガイド部１１が設けてあって、ガイド部１１にはプランジャ用ストッパ１１Ａが設けてある。また、開口部７の互いに対向する辺縁部には基板押え１２が設けてある。
【００３１】
そして、底面部５ａの周部５ｂには、図５に示すように、その周部を四等分した箇所にそれぞれカバー係合部１３が形成してあり、これらのカバー係合部１３は周部５ｂに形成した凹部１４に係止突起部１５を設けて構成してある。
【００３２】
カバー部材６は、図３及び図４に示すように、中空円筒形状のカバー本体６Ａを有しており、カバー本体６Ａの端面部６ａにはシールリング装着溝部１８が形成してあり、また、カバー本体６Ａの内周には雌ねじ部１９が形成してある。そして、カバー本体６Ａには、その周方向を四等分した箇所に係止片部２１が形成してある。これらの係止片部２１の先部には係止孔部２２が設けてある。
【００３３】
スイッチ部２は、図４及び図５に示すように、スイッチ基板２５と、このスイッチ基板２５に実装された内蔵スイッチであるタクタイルスイッチ２６と、スイッチ基板２５に実装されたコネクタ２７とをユニット化して構成してある。
【００３４】
スイッチ駆動部３は、図５に示すように、操作部材３４と四個のばね部材であるコイルばね３５とより構成してある（図４及び図５では二個のばね部材３５が表示してある）。操作部材３４は、弾性を有する、例えば、板厚が０．５ｍｍ程度の金属板を打ち抜き成形することにより形成したもので、タクタイルスイッチ２６を動作させる突起状のスイッチ作動部３６が設けられた中央部位３４Ａと、中央部位３４Ａから四方に分岐された４本の分岐部３７を有していて、全体がほぼ十字形にしてある。そして、図３に示すように、各分岐部３７の先端部には孔部３８が形成してある。また、孔部３８の周部には円環状のばね受部３８Ａが形成してある。
【００３５】
押しボタン部４は、図４に示すように、円形キャップ状の押しボタン４０と、プランジャ４１と、シール部材４２とより構成してある。押しボタン４０は、その天井部４３の周部に周壁部４４を形成しており、周壁部４４の端部にフランジ部４５が形成してある。
【００３６】
また、プランジャ４１は、図３乃至図５に示すように、中空円筒形状のプランジャ本体４６Ａと、プランジャ本体４６Ａに連設されたスカート部４６Ｂを有しており、プランジャ本体４６Ａの外周部にはシール装着溝部４７が形成してあり、また、スカート部４６Ｂには、その周方向を四等分した箇所に挿入部４８が設けてあり、これらの挿入部４８の端面部には突起部４９が設けてある（図３参照）。
【００３７】
挿入部４８は、図５に示すように、スカート部４６Ｂを切欠して形成された開設部５０と、開設部５０の外方に位置する片状のストッパ部５１とで囲まれており、ストッパ部５１はプランジャ本体４６Ａに一体に形成してある。ストッパ部５１の先部には外方に突出するようにした爪部５１Ａが設けてある。
【００３８】
そして、図３に示すように、ベース部材５の底面部５ａには、そのスイッチ基板装着部８にスイッチ基板２５を装着してスイッチ部２が取付けてある。この場合、ベース部材５に設けた基板押え１２がスイッチ基板２５を押えて固定している。スイッチ基板２５が底面部５ａの開口部７を閉塞していて、開口部７からコネクタ２７が外方に突出し、ベース部材５の中央にタクタイルスイッチ２６が位置している。
【００３９】
また、図３に示すように、底面部５ａに設けたばね係止用突起部９にコイルばね３５の一端部（下端部）が係止してあり、タクタイルスイッチ２６上に操作部材３４が載せてあって、操作部材３４の中央部位３４Ａのスイッチ作動部３６がタクタイルスイッチ２６の可動部２６Ｃに接触している。操作部材３４の四本の分岐部３７のばね受部２８Ａにコイルばね３５の他端部（上端部）が嵌合している。
【００４０】
また、図３に示すように、ベース部材５には、操作部材３４に重ねるようにしてプランジャ４１が挿入してあり、この場合、プランジャ４１に設けた突起部４９が操作部材３４の分岐部３７の孔部３８に遊嵌させてある。
【００４１】
また、プランジャ４１のストッパ部５１がベース部材５のガイド部１１を介してストッパ挿入部１０に挿入してある。この場合、プランジャ４１はコイルばね３５のばね力により持ち上げられることで、プランジャ４１に設けたストッパ部５１の爪部５１Ａが、ベース部材５に設けたプランジャ用ストッパ１１に引っ掛かるようになる。
【００４２】
また、図３に示すように、ベース部材５にはカバー部材６が装着してある。この場合、カバー部材６に設けた四本の係止片部２１が、ベース部材５のカバー係合部１３の凹部１４に挿入してあって、係止片部２１の係止孔部２２に係止突起部１５が係止してある。
【００４３】
また、図３に示すように、シール部材４２は、その基側シール部５２Ａがベース部材５とカバー部材６とで挟着され、先側シール部５２Ｂがプランジャ４１のシール装着溝部４７に嵌着されると共に、プランジャ４１と押しボタン４０とで挟着されていて、シール部材４２によりスイッチ部２及びスイッチ駆動部３の防塵・防水が行なわれている。
【００４４】
また、図３に示すように、プランジャ４１に押しボタン４０が被せてある。押しボタン４０の取付けは、後述するように、押しボタンスイッチＡが表面パネルＢに取付けられる際に使用する取付リング５４で行なわれる。したがって、押しボタンスイッチＡが表面パネルＢに取付けられない状態では、カバー部材６のカバー本体６Ａの内周に設けたネジ部１９と、押しボタン４０のフランジ部４５との間には取付リング５４の挿入空間部（隙間）Ｄが存在している。
【００４５】
上記のように構成された押しボタンスイッチＡには、養生部材Ｃが着脱可能に装着してある。すなわち、図３に示すように、養生部材Ｃは、そのボタン覆い部１００で押しボタン４０を覆い、固定部１０５を挿入空間部Ｄに挿入してカバー部材６の雌ねじ部１９と押しボタン４０の外周部のフランジ部４５とで挟持させることで、養生部材Ｃが押しボタンスイッチＡに装着してある。
【００４６】
このように養生部材Ｃを装着した押しボタンスイッチＡは、例えば、客先に納品される。したがって、客先で、押しボタンスイッチＡを養生しないで済むようになる。
【００４７】
そして、エレベータの設置工事が完了して押しボタンスイッチＡを実際に使う時には、図３に示すように、表面パネルＢの円形状の取付孔Ｂ−１に養生部材Ｃのボタン覆い部１００で覆った状態の押しボタン４０を挿入する。この場合、養生部材Ｃの一定の部材厚を使って、表面パネルＢの取付孔Ｂ−１に対して押しボタン４０の位置決めを行う。
【００４８】
そして、養生部材Ｃのボタン覆い部１００に設けた摘み部１０４をニッパのような工具で挟み、養生部材Ｃを引き、養生部材Ｃの固定部１０５をカバー部材６の雌ねじ部１９と押しボタン４０の外周部のフランジ部４５とから引き抜くことで、養生部材Ｃを押しボタンスイッチＡから引き剥がす。このことで、取付孔Ｂ−１に対して押しボタン４０のクリアランスが確保できるようになる。
【００４９】
そして、図６乃至図８に示すように、取付孔Ｂ−１に取付リング５４を挿入して、取付リング５４の雄ねじ部５５をカバー部材６の雌ねじ部１９に螺合させ、取付リング５４のフランジ部５６とカバー部材６の端面部とで表面パネルＢを挟持することで押しボタンスイッチＡが表面パネルＢに取付けられる。この際に、押しボタン４０は、コイルばね３５のばね力によりプランジャ４１を介して持ち上げられていて、押しボタン４０のフランジ部４５が取付リング５４のストッパ部５７に衝合し、押しボタン４０の取付けが行なわれている。また、シールリング５９の存在により、表面パネルＢとスイッチ本体１のカバー部材６との隙間からの塵挨や水のスイッチ部３及びスイッチ駆動部３側への侵入が防止されている。
【００５０】
なお、上記のように構成された押しボタンスイッチＡにおいて、押しボタン４０に押込み力を加えて押込むと、押しボタン４０は偏りすることなく、図９において下方に移動（平行移動）する。このために、プランジャ４１がコイルばね３５に抗して下方に押し込まれて操作部材３４の分岐部３７は、下方に押される。
【００５１】
したがって、分岐部３７は撓み、分岐部３７に加わる力は操作部材３４の中央部位３４Ａに作用して、スイッチ作動部３６がタクタイルスイッチ２６の可動部２６Ｃを押し込み、タクタイルスイッチ２６をオン作動させる。
【００５２】
そして、押しボタン４０の押込みを解除すると、分岐部３７の復元力とコイルばね３５のばね力によりプランジャ４１が持ち上げられて、このプランジャ４１は元の位置に戻り、操作部材３４の分岐部３７は元の状態に復帰し、スイッチ作動部３６の可動部２６Ｃへの押込み力が解除されてタクタイルスイッチ２６をオフ作動させる。
【００５３】
また、図１０に示すように、表面パネルＢの円形状の取付孔Ｂ−１に養生部材Ｃのボタン覆い部１００で覆った状態の押しボタン４０を挿入した状態で、押しボタン４０を押す場合があるが、この場合には、ボタン覆い部１００の頂面部１０１が撓み押しボタン４０が押されるようになる。
【００５４】
上記したように、本発明の実施の形態によれば、養生部材Ｃは、そのボタン覆い部１００で押しボタン４０を覆い、固定部１０５を挿入空間部（隙間）Ｄに挿入させてスイッチ本体１のカバー部材６と押しボタン４０の外周部のフランジ部４５とで挟持させることで、養生部材Ｃを押しボタンスイッチＡに着脱可能に装着することができる。また、ボタン覆い部１００に設けた摘み部１０４をニッパのような工具で挟み、この養生部材Ｃを押しボタンスイッチＡから引き剥がすことができる。養生部材Ｃにより押しボタンスイッチＡの内部にセメント粉や塵挨等の侵入がなくなるために、養生部材Ｃを装着した押しボタンスイッチＡを、例えば、押しボタンスイッチＡをエレベータスイッチとして使用するエレベータの設置工事を行なう客先に納品することで、客先で、押しボタンスイッチＡを養生しないで済むようになり、客先における養生に要する時間と手間を省くことが可能になる。
【００５５】
そして、エレベータの設置工事が完了して押しボタンスイッチＡを実際に使う時には、表面パネルＢの取付孔Ｂ−１にボタン覆い部１００で覆った状態の押しボタン４０を挿入し、養生部材Ｃをニッパのような工具で挟み、この養生部材Ｃを押しボタンスイッチＡから引き剥がして、例えば、取付リング５４を用いて押しボタンスイッチＡを表面パネルＢに取付けることができる。
【００５６】
上記のように表面パネルＢの取付孔Ｂ−１にボタン覆い部１００で覆った状態の押しボタン４０を挿入することで、養生部材Ｃの一定の部材厚を使って、表面パネルＢの取付孔Ｂ−１に対して押しボタンスイッチＡの位置決めを行うことができる。
【００５７】
なお、上記した本発明の実施の形態では、養生部材Ｃを押しボタンスイッチＡから引き剥がす場合に、ニッパのような工具で挟む摘み部１０４の形状を円環形状にしたが、この摘み部１０４を、図１１に示すように、ボタン覆い部１００の頂面部１０１に突出する突起状にしてもよい。
【００５８】
また、図１２に示すように、養生部材Ｃの固定部１０５を、周壁部１０２の先側に形成した係合部で構成して、この固定部１０５をスイッチ本体１のカバー部材６に設けたスイッチ本体側係合部１０６に係脱可能に係合するようにしてもよい。
【産業上の利用可能性】
【００５９】
本発明に係る押しボタンスイッチの養生装置によれば、養生部材は押しボタンスイッチに着脱可能に装着されて、押しボタンを覆い且つこの押しボタンとスイッチ本体との隙間を埋めるようになって、セメント粉や塵挨等の侵入がなくなるために、この養生部材を装着した押しボタンスイッチを、例えば、押しボタンスイッチをエレベータスイッチとして使用するエレベータの設置工事を行なう客先に納品することで、客先で、押しボタンスイッチを養生しないで済むようになり、客先における養生に要する時間と手間を省くことが可能になり、エレベータの設置工事が完了して押しボタンスイッチを実際に使う時には、表面パネルの取付孔に養生部材で覆った状態の押しボタンを挿入し、養生部材をニッパのような工具で挟み、この養生部材を押しボタンスイッチから引き剥がして、例えば、取付リング等を用いて押しボタンスイッチを表面パネルに取付けることができ、しかも、表面パネルの取付孔に養生部材で覆った状態の押しボタンを挿入することで、養生部材の一定の部材厚を使って、表面パネルの取付孔に対して押しボタンスイッチの位置決めを行うことができるために、エレベータの昇降方向を指示する方向指示スイッチであるエレベータスイッチ等に使用する押しボタンスイッチの養生装置等として有用である。
【図面の簡単な説明】
【００６０】
【図１】エレベータスイッチの押しボタン装置の斜視図である。
【図２】本発明に係る養生装置における養生部材を押しボタンスイッチに装着する前の状態の斜視図である。
【図３】同養生部材を押しボタンスイッチに装着した状態の縦断面図である。
【図４】押しボタンスイッチの分解状態の斜視図である。
【図５】同押しボタンスイッチの一部の分解状態の斜視図である。
【図６】同押しボタンスイッチの表面パネルへの組付け前の状態の斜視図である。
【図７】同押しボタンスイッチの表面パネルへの組付状態の斜視図である。
【図８】同押しボタンスイッチの表面パネルへの組付状態の縦断面図である。
【図９】同押しボタンスイッチの作動説明のための縦断面図である。
【図１０】同押しボタンスイッチにおいて、養生部材を押した状態の縦断面図である。
【図１１】養生部材の他の変形例の斜視図である。
【図１２】養生部材の別の他の変形例の押しボタンスイッチへの組付け状態の一部省略した斜視図である。
【符号の説明】
【００６１】
Ａ      押しボタンスイッチ
Ｂ      表面パネル
Ｃ      保護部材
Ｄ      挿入空間部（隙間）
１      スイッチ本体
２      スイッチ部
３      スイッチ駆動部
４      押しボタン部
５      ベース部材
６      カバー部材
４０    押しボタン
４１    プランジャ
５４    取付リング
１００  ボタン覆い部
１０１  頂面部
１０２  周壁部
１０４  摘み部
１０５  固定部
１０６  スイッチ本体側係合部
【図１】
2006331810.tif 000003
【図２】
2006331810.tif 000004
【図３】
2006331810.tif 000005
【図４】
2006331810.tif 000006
【図５】
2006331810.tif 000007
【図６】
2006331810.tif 000008
【図７】
2006331810.tif 000009
【図８】
2006331810.tif 000010
【図９】
2006331810.tif 000011
【図１０】
2006331810.tif 000012
【図１１】
2006331810.tif 000013
【図１２】
2006331810.tif 000014